(57)【要約】    【課題】より一層安価に製造し得るように構成された飲料缶用景品ケースを提供する。    【解決手段】景品ケース１を、多角形の天板部２と、該天板部の各辺に対応する長さの小片３を連続させた周壁部４と、該周壁部の開放端縁にて内向きに折り曲げられる舌片１５とを紙製シートによって形成し、前記天板部の外周縁と前記周壁部の上縁とを互いに結合すると共に、前記周壁部の両端同士を互いに結合してなるものとする。【選択図】図３
2007015716.tif 000002
【特許請求の範囲】
【請求項１】
飲料缶の巻き締め部に結合してその内側に景品収納部を画成する飲料缶用景品ケースであって、
多角形の天板部と、該天板部の各辺に対応する長さの小片を連続させた周壁部と、該周壁部の開放端縁にて内向きに折り曲げられる舌片とが紙製シートによって形成され、
前記天板部の外周縁と前記周壁部の上縁とを互いに結合すると共に、前記周壁部の両端同士を互いに結合してなることを特徴とする飲料缶用景品ケース。
【請求項２】
前記天板部の外周縁と前記周壁の上縁並びに前記周壁の両端同士の互いの結合が、一方に形成されたスリットと他方に形成された差し込み片とによるものであることを特徴とする請求項１に記載の飲料缶用景品ケース。
【発明の詳細な説明】
【技術分野】
【０００１】
本発明は、飲料缶に景品を添付して販売する際に用いられる飲料缶用景品ケースに関するものである。
【背景技術】
【０００２】
缶入り飲料の販売促進を目的として、特定の期間中だけ飲料缶に景品を添付するキャンペーンを行うことがある。このような場合のために飲料缶に景品を添付する手段が種々提案されている。例えば、開口部を有するケース本体と、このケース本体の開口部を開閉するキャップとで構成され、飲料缶の巻き締め部に弾発的に結合可能なように構成されたプレミアム用ケースが、特許文献１に提案されている。
【特許文献１】特開平１１−１５７５４３号公報
【発明の開示】
【発明が解決しようとする課題】
【０００３】
しかるに、この種のキャンペーンは、製品本体の販売価格を変更せずに景品を添付するのであるから、景品のコストが製品価格を直接圧迫することになる。そのため、景品の質を高めるには限度があった。特に、文献１に開示されたものは、景品を収納するケース自体が合成樹脂材で形成された複数の部材からなり、その製造コストが嵩みがちであるため、なおさら景品の質を高めることはできなかった。
【０００４】
本発明は、このような不都合を解消すべく案出されたものであり、その主な目的は、より一層安価に製造し得るように構成された飲料缶用景品ケースを提供することにある。
【課題を解決するための手段】
【０００５】
このような課題を解決するため、本発明の請求項１は、多角形の天板部２と、該天板部の各辺に対応する長さの小片３を連続させた周壁部４と、該周壁部の開放端縁にて内向きに折り曲げられる舌片１５とを紙製シートによって形成し、前記天板部の外周縁と前記周壁部の上縁とを互いに結合すると共に、前記周壁部の両端同士を互いに結合してなることを特徴とする飲料缶用景品ケースを提供することとした。
【０００６】
特に、前記天板部の外周縁と前記周壁の上縁並びに前記周壁の両端同士の互いの結合が、一方に形成されたスリット９・１４と他方に形成された差込片５・７とによるものであることを特徴とするもの（請求項２）とすると良い。
【発明の効果】
【０００７】
このように構成された本発明の景品ケースによれば、総形のカッターで容易に打抜形成でき、また簡単に組み立てることができるので、その製造コストが極めて低廉で済み、紙製なので、使用後の処理も何ら問題を生じない。しかも装飾的ロゴや商標などを外面に簡単に印刷することができるので、販売促進用景品ケースとして極めて有用である。
【発明を実施するための最良の形態】
【０００８】
以下に添付の図面を参照して本発明について詳細に説明する。
【０００９】
図１は、本発明に基づき構成された飲料缶用景品ケースの裁断した状態の展開図である。この景品ケース１は、適度な厚さで比較的剛性の高い一枚の紙から型抜きしてなるものであり、実質的に正八角形をなす天板部２と、それぞれが長方形をなす８つの小片３を一直線に連続させ、且つそのうちの１つを天板部２の一辺に直接接続させた周壁部４とからなっている。
【００１０】
天板部２における周壁部４に直接接続させた一辺から１つおきに位置する３つの辺の中央には、差込片５が突出形成されている。
【００１１】
周壁部４は、その全長が天板部２の全周を囲む寸法とされ、且つその幅が景品ケース１の深さとなる寸法とされており、天板部２の正八角形の一辺の長さと等しい寸法をおいてその長手方向を８等分する位置に山折りとなる折線６が付けられ、この折線６によって８つの小片３に分けられている。また周壁部４の一端には、差込片７が一体に形成され、他端には、延長片８が一体に形成され且つ差込片７を差し込むスリット９が切り込まれている。
【００１２】
各小片３における組み立てた時に天板部２の周縁と接続する上縁には、概ね長方形をなし、その遊端に引掛部１０が形成された３つの連結片１１と、台形をなす４つの補強片１２とが、互い違いの位置に形成されている。これら連結片１１並びに補強片１２と各小片３との境界には、山折りとなる一直線の折線１３が付けられている。また３つの連結片１１の付け根には、天板部２の差込片５を差し込むスリット１４が切り込まれている。
【００１３】
他方、各小片３における連結片１１並びに補強片１２が設けられた縁と反対側の縁、つまり下縁には、実質的に半円形をなす舌片１５が一体に形成されている。これら舌片１５と各小片３との境界には、一直線のミシン目１６が付けられている。
【００１４】
この景品ケース１は、いわばペーパークラフト的に組み立てられるものであり、各折線６・１３を山折りにすると共に、差し込み片５を天板部２に対して山折りにし、且つ差し込み片７を小片３に対して山折りにし（図２参照）、３つの連結片１１を互いに重ね合わせてその各遊端の引掛部１０を噛み合わせ（図３参照）、各差込片５・７を対応する各スリット９・１４に差し込めば、内側が景品を収納し得る空所となる八角形の箱ができあがる（図４参照）。
【００１５】
景品ケース１の内側に景品１７を収納した上で、周壁部４の開放端に各小片３に対応して形成された舌片１５をミシン目１６に沿って内向きに折り曲げ、この舌片１５を内向きにしたままで、例えば飲料用缶１８の上端の巻締部１９に押し当てて景品ケース１を軸方向に押し下げる。すると、飲料用缶１８の上端に突き当たって舌片１５が周壁４側へ折れ曲がり、飲料用缶１８上端の巻締部１９のビード状突条をその先端が乗り越えると、図５に示したように、巻締部１９の下縁に舌片１５の先端が引っ掛かる。これにより、景品ケース１を持ち上げると、舌片１５が逆止作用を発揮し、周壁部４の端部の差込片７をスリット９から外さない限り、飲料用缶１８の上端から景品ケース１を外すことができなくなる。ここで舌片１５の突端が飲料用缶１８の巻締部１９に線接触して良く引っ掛かるように、舌片１５の突端は幾分か直線状にされている。
【００１６】
この景品ケース１によると、紙製なので反復着脱性には限度があるが、この種のケースは本来が使い捨てであり、処分の容易性の方により高い重要度が要求されるので、その耐久性の低さは問題とはならない。
【００１７】
なお、天板部２および周壁部４の結合には、差込片５・７とスリット９・１４によらず、接着剤を用いても良い。
【図面の簡単な説明】
【００１８】
【図１】本発明による景品ケースの展開図である。
【図２】本発明品の組立途中の一状態を示す斜視図である。
【図３】本発明品の組立途中の別の状態を示す斜視図である。
【図４】本発明品の完成状態の斜視図である。
【図５】飲料缶に取り付けた本発明品の部分的に切断して示す立面図である。
【図６】本発明品を飲料缶に取り付けた状態の斜視図である。
【符号の説明】
【００１９】
１  景品ケース
２  天板部
３  小片
４  周壁部
５・７  差込片
９・１４  スリット
１５  舌片
【図１】
2007015716.tif 000003
【図２】
2007015716.tif 000004
【図３】
2007015716.tif 000005
【図４】
2007015716.tif 000006
【図５】
2007015716.tif 000007
【図６】
2007015716.tif 000008